(57)【要約】【課題】原稿のオリジナルに関わる情報が付加された印刷画像を読み込むことにより、自動的にその原稿のオリジナル画像を取り出すことが可能な画像形成装置において、オリジナル原稿に対するセキュリティの向上を可能にした画像形成装置を提供する。【解決手段】画像入力手段から入力された画像データに情報が付加されているか否かを判定し、前記情報が付加されている場合にその情報を読み取る。読み取られた前記情報に対応して記憶装置に記憶されている画像データを検索して取り込む。前記判定結果に応じて前記情報の消去／非消去の処理を行い、前記取り込み画像データを前記消去／非消去の処理結果に従って処理し画像印字手段で印字する。【選択図】      図１
2004153568.tif 000002
【特許請求の範囲】
【請求項１】
入力画像データに情報を付加する情報付加手段と、前記情報付加手段から出力された画像データの印字処理を行う画像印字手段とを備えた画像形成装置であって、
原稿から読み取った画像データを入力する画像入力手段と、
前記画像入力手段から入力された画像データに前記情報が付加されているか否かを判定し、前記情報が付加されている場合にその情報を読み取る付加情報認識手段と、
前記付加情報認識手段で読み取られた前記情報に対応して記憶装置に記憶されている画像データを検索して取り込む画像取り込み手段と、
前記付加情報認識手段の判定結果に応じて、前記情報の消去／非消去の処理を行う情報消去手段とを有し、
前記情報付加手段は、前記画像取り込み手段による取り込み画像データを前記情報消去手段の処理結果に従って処理し前記画像印字手段へ出力することを特徴とする画像形成装置。
【発明の詳細な説明】
【０００１】
【発明の属する技術分野】
本発明は、複写機などの画像形成装置に関するものである。
【０００２】
【従来の技術】
従来、複写機はスキャナ部で取り込んだ原稿画像を忠実に再現することを目的とした装置である。しかし、原稿画像は様々な原因によって汚れや黄ばみ等の劣化が見られるようになる。また、元々パソコン上で作成したカラー原稿を高速の白黒複写機で多数部印刷して配布した場合に、その原稿のオリジナル画像が必要となる場合も想定される。
【０００３】
これらの要求を満たすために、原稿印刷時にその原稿のオリジナルに関わる情報を印刷画像に付加しておき、印刷画像を原稿台に載せてスキャンさせると自動的にオリジナル画像を取り出せる画像形成装置が提案されている（例えば、特許文献１参照）。
【０００４】
【特許文献１】
特開平１０−１５４２２９号公報
【０００５】
【発明が解決しようとしている課題】
しかしながら、上記従来の画像形成装置では、原稿の印刷時には常にその原稿のオリジナルに関わる情報が印刷画像に付加されるので、オリジナル原稿に対するセキュリティの観点から問題であった。
【０００６】
本発明は上記従来の問題点に鑑み、原稿のオリジナルに関わる情報が付加された印刷画像を読み込むことにより、自動的にその原稿のオリジナル画像を取り出すことが可能な画像形成装置において、オリジナル原稿に対するセキュリティの向上を可能にした画像形成装置を提供することを目的とする。
【０００７】
【課題を解決するための手段】
上記目的を達成するために、本発明の画像形成装置では、入力画像データに情報を付加する情報付加手段と、前記情報付加手段から出力された画像データの印字処理を行う画像印字手段とを備えた画像形成装置であって、原稿から読み取った画像データを入力する画像入力手段と、前記画像入力手段から入力された画像データに前記情報が付加されているか否かを判定し、前記情報が付加されている場合にその情報を読み取る付加情報認識手段と、前記付加情報認識手段で読み取られた前記情報に対応して記憶装置に記憶されている画像データを検索して取り込む画像取り込み手段と、前記付加情報認識手段の判定結果に応じて、前記情報の消去／非消去の処理を行う情報消去手段とを有し、前記情報付加手段は、前記画像取り込み手段による取り込み画像データを前記情報消去手段の処理結果に従って処理し前記画像印字手段へ出力することを特徴とする。
【０００８】
【発明の実施の形態】
以下、本発明の実施の形態を図面に基づいて説明する。
【０００９】
＜画像形成装置の全体構成＞
図１は、本発明の実施の一形態に係る画像形成装置（複写機）の全体構成を示すブロック図である。
【００１０】
この複写機は、リーダー部２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット２５０とで構成される。
【００１１】
スキャナユニット２１０は、付加情報判定・解読部２８０を有している。付加情報判定・解読部２８０は、読み取った画像にオリジナル原稿情報（後述）が付加されているかどうかを判定し、その判定結果を示す認識情報を出力する手段と、情報が付加されている場合にその情報を解読するための手段で構成されている。
【００１２】
プリンタ部３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙をソート、ステイプルして機外へ出力する機能を持つ排紙ユニット３３０とで構成される。
【００１３】
コントローラ部１１０は、リーダー部２００、プリンタ部３００と電気的に接続され、さらにネットワーク４００を介して、ホストコンピュータ４０１，４０２及び、画像サーバー４１０と接続されている。
【００１４】
コントローラ部１１０は、リーダー部２００を制御して、原稿の画像データを読み込み、プリンタ部３００を制御して画像データを記録用紙に出力してコピー機能を提供する。また、リーダー部２００から読み取った画像データを、コードデータに変換し、ネットワーク４００を介してホストコンピュータへ送信するスキャナ機能や、ホストコンピュータからネットワーク４００を介して受信したコードデータを画像データに変換し、プリンタ部３００に出力するプリンタ機能を提供するほか、プリント時に原稿にオリジナル原稿情報の付加を行う情報付加機能を備えている。
【００１５】
操作部１８０は、コントローラ部１１０に接続され、液晶タッチパネルで構成され、画像入出力システムを操作するためのユーザＩ／Ｆを提供する。
【００１６】
＜情報付加機能の構成＞
図２は、コントローラ部１１０内にある情報付加機能の構成を示すブロック図である。
【００１７】
プリント画像処理部３１は、送られてきた画像に対し、コントローラ部１１０において展開、その他所望の画像処理を行う。オリジナル原稿情報生成部３２は、画像サーバー４１０に保存されたオリジナル原稿データ又はファイルの存在場所を示すためのオリジナル原稿情報（バーコード、ＵＲＬ、電子透かし情報等）を生成する機能を有する。
【００１８】
情報消去部３４は、付加情報判定・解読部２８０からの認識情報ＲＥを判断し、オリジナル原稿情報が付加されている場合には、オリジナル原稿情報生成部３２で生成されたオリジナル原稿情報を消去すべく、該オリジナル原稿情報部分を黒塗りにして情報付加部３３へ出力すると共に、オリジナル原稿情報が付加されていない場合はスルー状態となり、生成されたオリジナル原稿情報がそのまま情報付加部３３へ出力される。情報付加部３３では、プリント画像処理部３１からの画像情報に対して、オリジナル原稿情報生成部３２側からのオリジナル原稿情報を付加する機能を有する。
【００１９】
＜本実施形態の特徴を成す動作＞
図３及び図４のフローチャートを参照しつつ、プリント時に、オリジナル原稿の保存先を示すバーコード等のオリジナル原稿情報の付加を行い、その印刷物をスキャンしてオリジナル原稿を取り込んで印刷する際の動作について説明する。
【００２０】
なお、図３及び図４のフローチャートは、複写機１００側の動作を示しており、これらフローチャートに従ったプログラムをコントロール部１１０内の記憶装置に格納し動作することにより、以下に述べる複写機１００側の制御方法を実現させることが可能となる。
【００２１】
Ｉ．情報付加原稿の作成動作
プリント時に、前記情報を付加する際の動作について説明する。
【００２２】
まず、ホストコンピュータ４０１又は４０２から所望の画像を転送して印刷する場合に、ホストコンピュータ４０１又は４０２から出力された画像はネットワーク４００を介してコントローラ部１１０と画像サーバー４１０の双方に送られる。このときのデータフォーマットは例えばＰＤＦ形式などの圧縮ファイルである。
【００２３】
画像サーバー４１０に送られた画像データは、規定の番号が付されたファイル名を付けた状態で保管される。コントローラ部１１０は、マーキングユニット３１０に対して、プリント要求を発行し、プリント動作を行う。
【００２４】
ホストコンピュータ４０１又は４０２側から圧縮して送られてきた画像に対し、コントローラ部１１０内のプリント画像処理部３１は、展開処理や、その他所望の画像処理を行う（ステップＳ１１）。オリジナル原稿情報生成部３２は、画像サーバー４１０に保存された画像データの保存先を示すオリジナル原稿情報を生成し（ステップＳ１２）、そのオリジナル原稿情報は、情報消去部３４からスルーで情報付加部３３へ出力される（ステップＳ１３）。
【００２５】
情報付加部３３では、プリント画像処理部３１から出力された画像に対して、オリジナル原稿情報生成部３２で生成された前記オリジナル原稿情報を付加してプリンタ部３００へ出力する（ステップＳ１４）。その結果、プリンタ部３００では、オリジナル原稿情報が付加された画像データの印字処理が行われる（ステップＳ１５）。
【００２６】
ＩＩ．情報付加原稿の読み取り動作
次に、上記オリジナル原稿情報が付加された印刷物を元にオリジナル原稿を印刷する動作について説明する。
【００２７】
上述の情報付加動作によってオリジナル原稿情報が付加された印刷物をリーダー部２００で読み込む（ステップＳ２１）。付加情報判定・解読部２８０は、読み込まれた画像中にオリジナル原稿情報が存在するか否かを判定し（ステップＳ２２）、オリジナル原稿情報が存在しない場合には、通常のコピー動作を行う（ステップＳ２３）。
【００２８】
オリジナル原稿情報が存在する場合には、オリジナル原稿情報を解読し（ステップＳ２４）、その解読結果をコントローラ部１１０に対して認識情報ＲＥとして通知する（ステップＳ２５）。コントローラ部１１０は、画像サーバー４１０に保管してある、前記オリジナル原稿情報に対応した画像データを検索して取り出し、コントローラ部１１０内に取り込む（ステップＳ２６）。
【００２９】
コントローラ部１１０に取り込まれた前記画像データは、プリント画像処理部３１によって所定の画像処理を施されて情報付加部３３へ送られる（ステップＳ２７）。ここで、リーダー部２００で読み込まれた印刷物が上記オリジナル原稿情報が付加されている印刷物であるので認識情報ＲＥはその旨を示し、情報付加部３３からは、情報消去部３４で情報付加部分が黒塗りされた画像データがプリンタ部３００へ出力される（ステップＳ２８）。その結果、プリンタ部３００では、情報付加部分が黒塗りされた画像データの印字処理が行われる（ステップＳ２９）。
【００３０】
＜情報付加機能の他の構成＞
図５は、コントローラ部１１０内にある情報付加機能の他の構成を示すブロック図である。
【００３１】
本例の情報付加機能の構成は、図２に示した構成において、付加情報判定・解読部２８０からの認識情報ＲＥを情報付加部３３に入力するようにし、情報消去部３４を除去した構成となっている。
【００３２】
このような構成においては、情報付加部３３は、認識情報ＲＥに応じて、オリジナル原稿情報を付加するか否かを選択する。情報付加原稿のプリント時には、例えば常に認識情報ＲＥの内容が“存在しない側”に固定されており、常時オリジナル原稿情報を付加するようになっている。
【００３３】
情報付加原稿の読み取り動作時には、オリジナル原稿情報が付加された印刷物であることを認識情報ＲＥが示す場合には、情報付加部３３は、オリジナル原稿情報を付加せずに画像データをプリンタ部３００へ送り、プリンタ部３００では、オリジナル原稿のままの印刷が行われる。
【００３４】
このように本実施形態では、オリジナル原稿情報を付加するのは最初のプリント時のみとし、孫コピー時にはオリジナル原稿情報を付加しないようにしたので、オリジナル原稿に対するセキュリティを向上させることができる。
【００３５】
なお、本実施形態では、オリジナル原稿情報を付加するときを最初のプリント時としたが、最初のコピー時のみにオリジナル原稿情報を付加し、孫コピー時にはオリジナル原稿情報を付加しないようにしてもよい。
【００３６】
以下、本実施形態の画像形成装置の詳細な構成について説明する。
【００３７】
＜リーダー部２００及びプリンタ部３００のハード構成＞
図６は、リーダー部２００及びプリンタ部３００のハード構成を示す概観図である。
【００３８】
リーダー部の原稿給送ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６及びレンズ２１７によってＣＣＤイメージセンサ（以下ＣＣＤという）２１８へ導かれる。このように、走査された原稿の画像はＣＣＤ２１８によって読み取られる。
【００３９】
２２２はリーダー画像処理回路部であり、ＣＣＤ２１８から出力される画像データに所定の処理を施し、スキャナＩ／Ｆ１４０を介してコントローラ部１１０へと出力するところである。
【００４０】
３５２はプリンタ画像処理回路部であり、プリンタＩ／Ｆ１４５を介してコントローラ部１１０から送られる画像信号をレーザードライバへと出力するところである。
【００４１】
プリンタ部３００のレーザドライバ３１７はレーザ発光部３１３、３１４、３１５、３１６を駆動するものであり、プリンタ画像処理部３５２から出力された画像データに応じたレーザ光をレーザ発光部３１３〜３１６を発光させる。このレーザ光はミラー３４０〜３５１によって感光ドラム３２５〜３２８に照射され、感光ドラム３２５〜３２８にはレーザ光に応じた潜像が形成される。３２１〜３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００４２】
用紙カセット３６０、３６１及び手差しトレイ３６２のいずれかより、レーザ光の照射開始と同期したタイミングで給紙された用紙は、レジストローラ３３３を経て、転写ベルト３３４上に吸着され、搬送される。そして、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３７０は排出された記録紙を束ねて記録紙の仕分けをしたり、仕分けされた記録紙のステイプルを行う。
【００４３】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００４４】
＜リーダー画像処理部の構成＞
図７は、リーダー画像処理部２２２の詳細な構成を示すブロック図である。
【００４５】
このリーダー画像処理部２２２では、プラテンガラス２１１上の原稿はＣＣＤ２１８に読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤ毎に並べたものでも構わないし、フィルタがオンチップ化又は、フィルタがＣＣＤと別構成になったものでも構わない）。
【００４６】
そして、その電気信号（アナログ画像信号）は画像処理部２２２に入力され、クランプ＆Ａｍｐ．＆Ｓ／Ｈ＆Ａ／Ｄ部４０１でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのデジタル信号に変換される。そして、ＲＧＢ信号はシェーディング部４０２で、シェーディング補正及び黒補正が施された後、コントローラ部１１０へと出力される。
【００４７】
＜コントローラ部の構成＞
図８は、コントローラ部１１０の構成を示すブロック図である。
【００４８】
メインコントローラ１１１は、主にＣＰＵ１１２と、バスコントローラ１１３、各種Ｉ／Ｆコントローラ回路とから構成される。ＣＰＵ１１２とバスコントローラ１１３はコントローラ部１１０全体の動作を制御するものであり、ＣＰＵ１１２はＲＯＭ１２０からＲＯＭ・Ｉ／Ｆ１２１を経由して読み込んだプログラムに基づいて動作する。
【００４９】
また、ホストコンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００５０】
ＤＲＡＭ１２２は、ＤＲＡＭ・Ｉ／Ｆ１２３によってメインコントローラ１１１と接続されており、ＣＰＵ１１２が動作するためのワークエリアや、画像データを蓄積するためのエリアとして使用される。
【００５１】
調歩同期シリアル通信コントローラ１１４はリーダー部２００、プリンタ部３００の各ＣＰＵとシリアルバス１７２，１７３を介して制御コマンドを送受信し、操作部１８０のタッチパネルやキー入力の通信を行う。
【００５２】
ネットワーク・コントローラ１２５は、Ｉ／Ｆ１２７によってメインコントローラ１１１と接続され、コネクタ１２６によって外部ネットワークと接続される。ネットワークとしては一般的にイーサネット（登録商標）が挙げられる。シリアルコネクタ１２４はメインコントローラ１１１と接続されて、外部機器との通信を行う。シリアルバスとしては一般的にＵＳＢが挙げられる。ＦＡＮ１２８はメインコントローラ１１１に接続され、コントローラ部１１０を冷却するのに用いる。
【００５３】
温度監視ＩＣ１４２はシリアルバス１４３によってメインコントローラ１１１に接続されている。温度監視ＩＣ１４２はＦＡＮ１２８の制御や、リアルタイムクロックモジュール１３７の温度補正等に用いられる。
【００５４】
汎用高速バス１３０には、拡張ボードを接続するための拡張コネクタ１３５とＩ／Ｏ制御部１２６，ＨＤコントローラ１３１，コーデック１３３とが接続される。汎用高速バスとしては、一般的にＰＣＩバスが挙げられる。
【００５５】
コーデック１３３は、ＤＲＡＭ１２２に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１３４はコーデック１３３の一時的なワーク領域として使用される。ＤＲＡＭ１２２との間のデータの転送は、バスコントローラ１１３によって制御されＤＭＡ転送される。
【００５６】
ＨＤコントローラ１３１は、外部記憶装置を接続するためのものである。本実施形態においては、このＩ／Ｆを介してハードディスクドライブ１３２を接続している。ハードディスク１３２はプログラムを格納したり、画像データを記憶するのに用いている。
【００５７】
Ｉ／Ｏ制御部１２６は、データバス１４４の制御を行い、ポート１４５や割り込み１４６の制御を行う。パネルＩ／Ｆ１４１は、ＬＣＤコントローラ１４０に接続され、操作部１８０上の液晶画面に表示を行うためのＩ／Ｆと、ハードキーやタッチパネルキーの入力を行うためのキー入力Ｉ／Ｆ１７１とから構成される。
【００５８】
操作部１８０は液晶表示部と液晶表示部上に張り付けられたタッチパネル入力装置と、複数個のハードキーを有する。タッチパネル又はハードキーにより入力された信号は前述したパネルＩ／Ｆ１７１を介してＣＰＵ１１２に伝えられ、液晶表示部はパネルＩ／Ｆ１４１から送られてきた画像データを表示するものである。液晶表示部には、本画像形成装置の操作における機能表示や画像データ等を表示する。
【００５９】
リアルタイムクロックモジュール１３７は、機器内で管理する日付と時刻を更新／保存するためのもので、バックアップ電池１３８によってバックアップされている。ＳＲＡＭ１３９はバックアップ電池１３８でバックアップされ、ユーザモードや各種設定情報や、ハードディスクドライブ１３２のファイル管理情報等を蓄積している。
【００６０】
グラフィック・プロセッサ１５１は、ＤＲＡＭ１２２に蓄積された画像データに対して、画像回転、画像変倍、色空間変換、二値化、スキャナ画像入力、プリンタ画像出力の処理を行う。ＤＲＡＭ１５２はグラフィック・プロセッサ１５１の一時的なワーク領域として使用される。グラフィック・プロセッサ１５１はＩ／Ｆ１５０を介してメインコントローラ１１１と接続され、ＤＲＡＭ１２２との間のデータの転送は、バスコントローラ１１３によって制御されＤＭＡ転送される。
【００６１】
コネクタ１６０と１５５は、それぞれリーダー部２００とプリンタ部３００とに接続され、同調歩同期シリアルＩ／Ｆ（１７３，１７２）とビデオＩ／Ｆ（１６３，１６２）とから構成される。
【００６２】
スキャナ画像処理部１５７は、コネクタ１６０を介してリーダー部２００と接続され、また、スキャナバス１６１によってグラフィック・プロセッサ１５１と接続されており、リーダー部２００から受け取った画像に対して所定の処理を施す機能を有し、さらに、リーダー部２００から送られたビデオ制御信号をもとに生成した制御信号を、スキャナバス１６１に出力する機能も有する。
【００６３】
ＦＩＦＯ１５８はスキャナ画像処理部１５７と接続され、リーダー部２００から送られてくるビデオ信号のライン補正を行うのに用いられる。プリンタ画像処理部１５３は、コネクタ１５５を介してプリンタ部３００と接続され、また、プリンタバス１５６によってグラフィック・プロセッサ１５１と接続されており、グラフィック・プロセッサ１５１から出力された画像データに所定の処理を施して、プリンタ部３００へ出力する機能を有し、さらに、プリンタ部３００から送られたビデオ制御信号をもとに生成した制御信号を、プリンタバス１６２に出力する機能も有する。
【００６４】
ＤＲＡＭ１５４はプリンタ画像処理部１５３に接続され、ビデオ信号を一定時間遅延させるのに用いられる。ＤＲＡＭ１２２上に展開されたラスターイメージデータのプリンタ部への転送は、バスコントローラ１１３によって制御され、グラフィック・プロセッサ１５１、プリンタ画像処理部１５３、コネクタ１５５を経由して、プリンタ部３００へＤＭＡ転送される。
【００６５】
＜スキャナ画像処理部の構成＞
図９は、スキャナ画像処理部１５７を担う部分の詳細な構成を示すブロック図である。
【００６６】
リーダー部２００からコネクタ１６０を介して送られる画像信号に対して、つなぎ＆ＭＴＦ補正部６０１で読取速度に応じてライン毎の遅延量を調整し、読取速度によって変化したＭＴＦを補正する。ＣＣＤ２１８が３ラインＣＣＤの場合、つなぎ処理は３ラインの読取位置が同じになるように信号タイミングを補正する。ＦＩＦＯ１５８はライン遅延のバッファとして用いる。
【００６７】
読取位置タイミングが補正されたデジタル信号は入力マスキング部６０２によって、ＣＣＤ２１８の分光特性及びランプ２１２及びミラー２１４、２１５、２１６の分光特性を補正する。入力マスキング部６０２の出力はＡＣＳカウント部４０５及びグラフィック・プロセッサ１５１へと送られる。
【００６８】
＜プリンタ画像処理部の構成＞
図１０は、プリンタ画像処理部１５３の詳細な構成を示すブロック図である。
【００６９】
グラフィック・プロセッサ１５１から、プリンタバス１５６を介して送られる画像信号は、まずＬＯＧ変換部７０１に入力される。ＬＯＧ変換部７０１では、ＬＯＧ変換でＲＧＢ信号からＣＭＹ信号に変換する。
【００７０】
次にモアレ除去部７０２でモアレが除去される。７０３はＵＣＲ＆マスキング部で、モアレ除去処理されたＣＭＹ信号はＵＣＲ処理でＣＭＹＫ信号が生成され、マスキング処理部でプリンタの出力にあった信号に補正される。ＵＣＲ＆マスキング部７０３で処理された信号は補正部７０４で濃度調整された後フィルタ部７０５でスムージング又はエッジ処理される。
【００７１】
出力切り替え７０６で、感光ドラム３２１〜３２４のドラム間の距離を補正するためにＤＲＡＭ１５４にＣＭＹＫ画像毎に一旦画像を蓄積し、ドラム間の距離を補正した画像をコネクタ１５５を介してプリンタ部３００へと送る。
【００７２】
＜グラフィック・プロセッサの構成＞
図１１は、グラフィック・プロセッサ１５１の詳細な構成を示すブロック図である。
【００７３】
グラフィック・プロセッサ１５１は、画像回転、画像変倍、色空間変換、二値化、スキャナ画像入力、プリンタ画像出力の処理をそれぞれ行うモジュールを有する。ＤＲＡＭ１５２はＤＲＡＭコントローラ８０８を介して各々のモジュールの一時的なワーク領域として使用される。
【００７４】
各々のモジュールが用いるＤＲＡＭ１５２のワーク領域が競合しないよう、あらかじめ各々のモジュール毎にワーク領域が静的に割り当てを行う。グラフィック・プロセッサ１５１はＩ／Ｆ１５０を介してメインコントローラ１１１と接続され、ＤＲＡＭ１２２との間のデータの転送は、バスコントローラ１１３によって制御されＤＭＡ転送される。
【００７５】
バスコントローラ１１３は、グラフィックプロセッサ１５１の各々のモジュールにモード等を設定する制御及び、各々のモジュールに画像データを転送するためのタイミング制御を行う。
【００７６】
入力インターフェース８１０はＩ／Ｆ１５０から入力された画像データをクロスバースイッチ８０９に入力する。画像データ形式は２値ラスターイメージデータ、多値ラスターイメージデータ、ＪＰＥＧ等を扱い、ＪＰＥＧ画像の場合は入力インターフェース８１０にてラスターイメージデータに変換してクロスバースイッチ８０９にデータ出力する。
【００７７】
出力インターフェース８１１はクロスバースイッチ８０９から入力された画像データをＩ／Ｆ１５０に出力する。クロスバースイッチ８０９から入力される画像データ形式はラスターイメージデータであるが、出力インターフェース８１１でＪＰＥＧ圧縮を行ってＩ／Ｆ１５０にデータ出力することも行う。
【００７８】
＜画像回転部の処理＞
以下に画像回転部８０１における処理手順を示す。
【００７９】
Ｉ／Ｆ１５０を介して、ＣＰＵ１１２からバスコントローラ１１３に画像回転制御のための設定を行う。この設定によりバスコントローラ１１３は画像回転部８０１に対して画像回転に必要な設定（例えば画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。なお、ここでは回転を行う画像サイズを３２画素  ３２ラインとし、また、画像バス２００８上に画像データを転送させる際に２４ｂｙｔｅ（ＲＧＢ各々８ｂｉｔで１画素分）を単位とする画像転送を行うものとする。
【００８０】
上述のように、３２画素３２ラインの画像を得るためには、上述の単位データ転送を３２３２回行う必要があり、且つ不連続なアドレスから画像データを転送する必要がある。
【００８１】
不連続アドレッシングにより転送された画像データは、読み出し時に所望の角度に回転されているように、ＳＲＡＭ１３６に書き込まれる。例えば、９０度反時計方向回転であれば、転送される画像データをＹ方向に書き込んでいく。読み出し時にＸ方向に読み出すことで、画像が回転される。
【００８２】
３２画素３２ラインの画像回転（ＤＲＡＭ１５２への書き込み）が完了した後、画像回転部８０１はＤＲＡＭ１５２から上述した読み出し方法で画像データを読み出し、バスコントローラ１１３に画像を転送する。
【００８３】
回転処理された画像データを受け取ったバスコントローラ１１３は、連続アドレッシングを以て、ＤＲＡＭ１２２もしくはＩ／Ｆ上の各デバイスにデータを転送する。
【００８４】
こうした一連の処理は、ＣＰＵ１１２からの処理要求が無くなるまで（必要なページ数の処理が終わったとき）繰り返される。
【００８５】
＜画像変倍部の処理＞
以下に画像変倍部８０２における処理手順を示す。
【００８６】
Ｉ／Ｆ１５１を介して、ＣＰＵ１１２からバスコントローラ１１３に画像変倍制御のための設定を行う。この設定によりバスコントローラ１１３は画像変倍部８０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００８７】
画像変倍部８０２は、受け取った画像データを一時ＤＲＡＭ１５２に格納し、これを入力バッファとして用いて、格納したデータに対して主走査、副走査の変倍率に応じて必要な画素数、ライン数の分の補間処理を行って画像を拡大もしくは縮小することで、変倍処理とする。変倍後のデータは再度ＤＲＡＭ１５２へ書き戻し、これを出力バッファとして画像変倍部８０２はＤＲＡＭ１５２から画像データを読み出し、バスコントローラ１１３に転送する。
【００８８】
変倍処理された画像データを受け取ったバスコントローラ１１３は、ＤＲＡＭ１２２もしくはＩ／Ｆ上の各デバイスにデータを転送する。
【００８９】
＜色空間変換部の処理＞
以下に色空間変換部８０３における処理手順を示す。
【００９０】
Ｉ／Ｆ１５０を介して、ＣＰＵ１１２からバスコントローラ１１３に色空間変換制御のための設定を行う。この設定によりバスコントローラ１１３は色空間変換部８０３及びＬＵＴ（ルック・アップ・テーブル）８０４に対して色空間変換処理に必要な設定（後述のマトリックス演算の係数、ＬＵＴ８０４のテーブル値等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００９１】
色空間変換部８０３は、受け取った画像データ１画素毎に対して、所定のマトリックス演算を施す。次にマトリックス演算後のデータに対して、ＬＵＴ８０４による変換を行う。これによって、非線形の変換をも行うことができる。当然、スルーのテーブルを設定することにより、実質的にＬＵＴ変換を行わないこともできる。
【００９２】
その後、色空間変換部８０３は色空間変換処理された画像データをバスコントローラ１１３に転送する。色空間変換処理された画像データを受け取ったバスコントローラ１１３は、ＤＲＡＭ１２２もしくはＩ／Ｆ上の各デバイスにデータを転送する。
【００９３】
＜画像二値化部の説明＞
以下に画像二値化部８０５における処理手順を示す。
【００９４】
Ｉ／Ｆ１５０を介して、ＣＰＵ１１２からバスコントローラ１１３に二値化制御のための設定を行う。この設定によりバスコントローラ１１３は画像二値化部８０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００９５】
画像二値化部８０５は、受け取った画像データに対して二値化処理を施す。本実施形態では、二値化の手法としては、画像データを所定の閾値と比較して単純に二値化するものとする。もちろん、ディザ法、誤差拡散法、誤差拡散法を改良したものなど、いずれの手法によっても構わない。
【００９６】
その後、画像二値化部８０５は二値化処理された画像データをバスコントローラ１１３に転送する。
【００９７】
二値化処理された画像データを受け取ったバスコントローラ１１３は、ＤＲＡＭ１２２もしくはＩ／Ｆ上の各デバイスにデータを転送する。
【００９８】
＜スキャナ入力部の説明＞
以下にスキャナ入力部８０６における処理手順を示す。
【００９９】
Ｉ／Ｆ１５０を介して、ＣＰＵ１１２からバスコントローラ１１３にスキャナ入力制御のための設定を行う。この設定によりバスコントローラ１１３はスキャナ入力部８０６に対して必要な設定（入力処理に応じた各種パラメータ等）を行う。必要な設定を行った後に、再度ＣＰＵ１１２からバスコントローラ１１３に対して画像データ転送の許可を行う。
【０１００】
その後、スキャナ画像処理部１５７から入力される同期信号に同期して画像データがスキャナ入力部８０６に入力される。スキャナ入力部８０６は受け取った画像データを入力バッファとして一旦ＤＲＡＭ１５２に格納する。その後スキャナ入力部はＤＲＡＭ１５２に格納した画像をバスコントローラ１１３に転送する。スキャナ入力画像データを受け取ったバスコントローラ１１３は、ＤＲＡＭ１２２もしくはＩ／Ｆ上の各デバイスにデータを転送する。
【０１０１】
＜プリンタ出力部の処理＞
以下にプリンタ出力部８０７における処理手順を示す。
【０１０２】
Ｉ／Ｆ１５０を介して、ＣＰＵ１１２からバスコントローラ１１３にプリンタ出力制御のための設定を行う。この設定によりバスコントローラ１１３はプリンタ出力部８０７に対して必要な設定（出力処理に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【０１０３】
プリンタ出力部８０７は受け取った画像データを一旦ＤＲＡＭ１５２に格納する。その後プリンタ画像処理部１５３から入力される同期信号に応じてＤＲＡＭ１５２に格納した画像をプリンタ画像処理部１５３に出力する。
【０１０４】
＜ＰＤＬ画像出力時のシーケンス＞
図１２は、本実施形態におけるＰＤＬ画像出力の手順を示すフローチャートである。
【０１０５】
ＰＤＬ画像を出力する場合、ステップＳ５１では、ＰＣ４０１上でユーザが当該ＰＤＬ画像出力ジョブのプリント設定を行う。プリント設定内容は、部数、用紙サイズ、片面／両面、ページ出力順序、ソート出力、ステイプル止めの有無等である。
【０１０６】
ステップＳ５２では、ＰＣ４０１上で印刷指示を与え、それと共にＰＣ４０１上にインストールされているドライバソフトウェアが、印刷対象となるＰＣ４０１上のコードデータをいわゆるＰＤＬデータに変換して、ステップＳ５１で設定したプリント設定パラメータとともに、本画像入出力装置のコントローラ部１１０に、ネットワーク４００を介してＰＤＬデータを転送する。
【０１０７】
ステップＳ５３では、コントローラ部１１０のメインコントローラ１１１のＣＰＵ１１２が、コネクタ１２６及びネットワークＣｏｎｔｒｏｌｌｅｒ１２５を介して転送されたＰＤＬデータを前記プリント設定パラメータに基づいて、画像データに展開（ラスタライズ）する。画像データの展開は、ＤＲＡＭ１２２上に行われる。画像データの展開が完了するとステップＳ５４へ進む。
【０１０８】
ステップＳ５４では、メインコントローラ１１１がＤＲＡＭ１２２上に展開された画像データを、グラフィック・プロセッサ１５１に転送する。
【０１０９】
ステップＳ５５では、グラフィック・プロセッサ１５１が、前記プリント設定パラメータとは独立に、画像処理を行う。例えば、前記プリント設定パラメータで指定された用紙サイズがＡ４であるにもかかわらず、プリンタ部３００の給紙ユニット３６０にはＡ４Ｒ用紙しかない場合には、グラフィック・プロセッサ１５１で画像を９０度回転することによって、出力用紙にあわせた画像出力を行うことができる。画像データの画像処理が完了するとステップＳ５６へ進む。
【０１１０】
ステップＳ５６では、グラフィック・プロセッサ１５１がメインコントローラ１１１へ画像処理後の画像データを転送する。メインコントローラ１１１は転送されてきた画像データをＤＲＡＭ１２２上に記憶する。
【０１１１】
ステップＳ５７では、メインコントローラ１１１はグラフィック・プロセッサ１５１、プリンタ画像処理部１５３及びコネクタ１５５を介して、プリンタ部３００を制御しつつ、適切なタイミングでＤＲＡＭ１２２上の画像データを、プリンタ部３００へと転送する。
【０１１２】
ステップＳ５８では、コントローラ部１１０が、プリンタ部３００を制御して画像データをプリント出力する。画像データの転送が完了すると、すなわち当該ＰＤＬジョブが終了すると、プリント出力を終了する。
【０１１３】
＜コピー画像出力時のシーケンス＞
図１３は、本実施形態におけるコピー画像出力の手順を示すフローチャートである。
【０１１４】
コピー画像を出力する場合、ステップＳ６１では、操作部１８０上でユーザが当該コピー画像出力ジョブのコピー設定を行う。コピー設定内容は、部数、用紙サイズ、片面／両面、拡大／縮小率、ソート出力、ステイプル止めの有無等である。
【０１１５】
ステップＳ６２では、操作部１８０上でコピー開始指示を与えると、コントローラ部１１０のメインコントローラ１１１はコネクタを介してリーダー部２００を制御し、原稿の画像データの読み込み動作を行う。まず、原稿給送ユニット２５０は、載置された原稿を１枚ずつプラテンガラス２１１上へ給送し、その際同時に原稿のサイズを検知する。検知された原稿のサイズに基づいて原稿を露光走査することにより、画像データを読み取るわけである。読み取られた画像データはグラフィック・プロセッサ１５１で指定された画像形式で圧縮をしてＤＲＡＭ１２２上に記憶される。本実施形態では、前記コピー設定の拡大／縮小率の設定にかかわらず、必ず等倍（１００％）で画像データを読み取り、変倍処理については、主走査方向、副走査方向ともに、グラフィック・プロセッサ１５１によって行うものとする。
【０１１６】
ステップＳ６３では、メインコントローラ１１１がＤＲＡＭ１２２上の画像データを、グラフィック・プロセッサ１５１に転送する。
【０１１７】
ステップＳ６４では、グラフィック・プロセッサ１５１が、前記コピー設定パラメータに基づいて画像処理を行う。例えば、拡大４００％の設定がなされているときには、グラフィック・プロセッサ１５１内のモジュールである画像変倍部を用いて主走査方向、副走査方向、双方への変倍処理を行う。画像データの画像処理が完了するとステップＳ６５へ進む。
【０１１８】
ステップＳ６５では、グラフィック・プロセッサ１５１がメインコントローラ１１１へ画像処理後の画像データを指定された画像形式で圧縮を行って転送する。メインコントローラ１１１は転送されてきた画像データをＤＲＡＭ１２２上に記憶する。
【０１１９】
ステップＳ６６では、メインコントローラ１１１はＤＲＡＭ１２２上に記憶された画像データを指定されたファイル形式でファイル化し、ファイル化された画像データをＨＤコントローラ１３１を経由してＨＤドライブ１３２に転送することで読み込んだ画像データをＨＤドライブ１３２に格納する。
【０１２０】
これらの動作はＤＦユニット２５０に原稿が存在する限り繰り返し行われる。
【０１２１】
ステップＳ６７では、画像データをプリンタ部３００へと転送する。この時、プリントを行う画像データファイルがＤＲＡＭ１２２上に存在しない場合はＨＤドライブ１３２から画像ファイルを読み込み、ＤＲＡＭ１２２に格納する。メインコントローラ１１１はグラフィック・プロセッサ１５１，プリンタ画像処理部１５３及びコネクタ１５５を介して、プリンタ部３００を制御しつつ、適切なタイミングでＤＲＡＭ１２２上の画像データを、プリンタ部３００へと転送する。
【０１２２】
ステップＳ６８では、コントローラ部１１０が、プリンタ部３００を制御して画像データをプリント出力する。
【０１２３】
全ての画像データの転送が完了すると、すなわち当該コピージョブが終了すると、プリント出力を終了する。
【０１２４】
なお、本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（又はＣＰＵやＭＰＵ）が記憶媒体に格納されたプログラムコードを読み出し実行することによっても、完成されることは言うまでもない。
【０１２５】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【０１２６】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
［実施態様］
本発明の実施態様の例を以下に列挙する。
【０１２７】
＜実施態様１＞
入力画像データに情報を付加する情報付加手段と、前記情報付加手段から出力された画像データの印字処理を行う画像印字手段とを備えた画像形成装置であって、原稿から読み取った画像データを入力する画像入力手段と、前記画像入力手段から入力された画像データに前記情報が付加されているか否かを判定し、前記情報が付加されている場合にその情報を読み取る付加情報認識手段と、前記付加情報認識手段で読み取られた前記情報に対応して記憶装置に記憶されている画像データを検索して取り込む画像取り込み手段と、前記付加情報認識手段の判定結果に応じて、前記情報の消去／非消去の処理を行う情報消去手段とを有し、前記情報付加手段は、前記画像取り込み手段による取り込み画像データを前記情報消去手段の処理結果に従って処理し前記画像印字手段へ出力することを特徴とする画像形成装置。
【０１２８】
＜実施態様２＞  前記付加情報認識手段によって前記情報が付加されていると判定された場合に、前記情報消去手段は、前記情報を消去し、前記情報付加手段は、前記情報消去手段によって前記情報の付加部分を消去した形で、前記画像取り込み手段による取り込み画像データを前記画像印字手段へ出力することを特徴とする実施態様１記載の画像形成装置。
【０１２９】
＜実施態様３＞  入力画像データに情報を付加する情報付加手段と、前記情報付加手段から出力された画像データの印字処理を行う画像印字手段とを備えた画像形成装置であって、原稿から読み取った画像データを入力する画像入力手段と、前記画像入力手段から入力された画像データに前記情報が付加されているか否かを判定し、前記情報が付加されている場合にその情報を読み取る付加情報認識手段と、前記付加情報認識手段で読み取られた前記情報に対応して記憶装置に記憶されている画像データを検索して取り込む画像取り込み手段とを有し、前記情報付加手段は、前記付加情報認識手段の判定結果に応じて、前記画像取り込み手段による取り込み画像データに対して前記情報を付加するか否かを切り替えることを特徴とする画像形成装置。
【０１３０】
＜実施態様４＞  前記付加情報認識手段によって前記情報が付加されていると判定された場合に、前記情報付加手段は、前記画像取り込み手段による取り込み画像データに前記情報を付加しないで前記画像印字手段へ出力することを特徴とする実施態様３記載の画像形成装置。
【０１３１】
＜実施態様５＞  前記情報は、入力画像データが保存された場所情報であることを特徴とする実施態様１乃至４記載の画像形成装置。
【０１３２】
＜実施態様６＞  前記情報は、バーコード又はＵＲＬであることを特徴とする実施態様５記載の画像形成装置。
【０１３３】
＜実施態様７＞  入力画像データに情報を付加する情報付加手段と、前記情報付加手段から出力された画像データの印字処理を行う画像印字手段とを有する画像形成装置と、該画像形成装置に通信媒体を介して接続され前記入力画像データを記憶する記憶装置とを備えた画像形成システムであって、前記画像形成装置は、原稿から読み取った画像データを入力する画像入力手段と、前記画像入力手段から入力された画像データに前記情報が付加されているか否かを判定し、前記情報が付加されている場合にその情報を読み取る付加情報認識手段と、前記付加情報認識手段で読み取られた前記情報に対応する画像データを前記記憶装置から検索して取り込む画像取り込み手段と、前記付加情報認識手段の判定結果に応じて、前記情報の消去／非消去の処理を行う情報消去手段とを有し、前記情報付加手段は、前記画像取り込み手段による取り込み画像データを前記情報消去手段の処理結果に従って処理し前記画像印字手段へ出力することを特徴とする画像形成システム。
【０１３４】
＜実施態様８＞  入力画像データに情報を付加する情報付加手段と、前記情報付加手段から出力された画像データの印字処理を行う画像印字手段とを有する画像形成装置と、該画像形成装置に通信媒体を介して接続され前記入力画像データを記憶する記憶装置とを備えた画像形成システムであって、前記画像形成装置は、原稿から読み取った画像データを入力する画像入力手段と、前記画像入力手段から入力された画像データに前記情報が付加されているか否かを判定し、前記情報が付加されている場合にその情報を読み取る付加情報認識手段と、前記付加情報認識手段で読み取られた前記情報に対応する画像データを前記画像形成装置から検索して取り込む画像取り込み手段とを有し、前記情報付加手段は、前記付加情報認識手段の判定結果に応じて、前記画像取り込み手段による取り込み画像データに対して前記情報を付加するか否かを切り替えることを特徴とする画像形成システム。
【０１３５】
＜実施態様９＞  入力画像データに情報を付加する情報付加行程と、前記情報付加行程から出力された画像データの印字処理を行う画像印字行程とを備えた画像形成装置の制御方法であって、原稿から読み取った画像データを入力する画像入力行程と、前記画像入力行程で入力された画像データに前記情報が付加されているか否かを判定し、前記情報が付加されている場合にその情報を読み取る付加情報認識行程と、前記付加情報認識行程で読み取られた前記情報に対応して記憶装置に記憶されている画像データを検索して取り込む画像取り込み行程と、前記付加情報認識行程の判定結果に応じて、前記情報の消去／非消去の処理を行う情報消去行程とを有し、前記情報付加行程は、前記画像取り込み行程による取り込み画像データを前記情報消去行程の処理結果に従って処理し前記画像印字行程へ出力することを特徴とする画像形成装置の制御方法。
【０１３６】
＜実施態様１０＞  入力画像データに情報を付加する情報付加行程と、前記情報付加行程で得られた画像データの印字処理を行う画像印字行程とを備えた画像形成装置の制御方法であって、原稿から読み取った画像データを入力する画像入力行程と、前記画像入力行程から入力された画像データに前記情報が付加されているか否かを判定し、前記情報が付加されている場合にその情報を読み取る付加情報認識行程と、前記付加情報認識行程で読み取られた前記情報に対応して記憶装置に記憶されている画像データを検索して取り込む画像取り込み行程とを有し、前記情報付加行程は、前記付加情報認識行程の判定結果に応じて、前記画像取り込み行程による取り込み画像データに対して前記情報を付加するか否かを切り替えることを特徴とする画像形成装置の制御方法。
【０１３７】
＜実施態様１１＞  入力画像データに情報を付加する情報付加ステップと、前記情報付加ステップで得られた画像データの印字処理を行う画像印字ステップとを備えた画像形成装置の制御方法を実行するために、コンピュータで読み取り可能な制御プログラムであって、原稿から読み取った画像データを入力する画像入力ステップと、前記画像入力ステップで入力された画像データに前記情報が付加されているか否かを判定し、前記情報が付加されている場合にその情報を読み取る付加情報認識ステップと、前記付加情報認識ステップで読み取られた前記情報に対応して記憶装置に記憶されている画像データを検索して取り込む画像取り込みステップと、前記付加情報認識ステップの判定結果に応じて、前記情報の消去／非消去の処理を行う情報消去ステップとを有し、前記情報付加ステップは、前記画像取り込みステップによる取り込み画像データを前記情報消去ステップの処理結果に従って処理し前記画像印字ステップへ出力することを特徴とする制御プログラム。
【０１３８】
＜実施態様１２＞  入力画像データに情報を付加する情報付加ステップと、前記情報付加ステップで得られた画像データの印字処理を行う画像印字ステップとを備えた画像形成装置の制御方法を実行するために、コンピュータで読み取り可能な制御プログラムであって、原稿から読み取った画像データを入力する画像入力ステップと、前記画像入力ステップから入力された画像データに前記情報が付加されているか否かを判定し、前記情報が付加されている場合にその情報を読み取る付加情報認識ステップと、前記付加情報認識ステップで読み取られた前記情報に対応して記憶装置に記憶されている画像データを検索して取り込む画像取り込みステップとを有し、前記情報付加ステップは、前記付加情報認識ステップの判定結果に応じて、前記画像取り込みステップによる取り込み画像データに対して前記情報を付加するか否かを切り替えることを特徴とする制御プログラム。
【０１３９】
【発明の効果】
以上説明したように、本発明によれば、画像入力手段から入力された画像データに情報が付加されている場合には、前記情報に対応して取り込まれる画像データに前記情報を付加しないで印字処理するようにしたので、情報付加原稿が必要以上に作成されるのを回避でき、例えば入力画像データのオリジナルデータとして取り込まれる画像データのセキュリティ面を向上させることが可能になる。
【図面の簡単な説明】
【図１】本発明の実施の一形態に係る画像形成装置（複写機）の全体構成を示すブロック図である。
【図２】コントローラ部１１０内にある情報付加機能の構成を示すブロック図である。
【図３】情報付加原稿作成時の画像形成装置側の動作を示すフローチャートである。
【図４】情報付加原稿読み取り時の画像形成装置側の動作を示すフローチャートである。
【図５】コントローラ部１１０内にある情報付加機能の他の構成を示すブロック図である。
【図６】リーダー部２００及びプリンタ部３００のハード構成を示す概観図である。
【図７】リーダー画像処理部２２２の詳細な構成を示すブロック図である。
【図８】コントローラ部１１０の構成を示すブロック図である。
【図９】スキャナ画像処理部１５７を担う部分の詳細な構成を示すブロック図である。
【図１０】プリンタ画像処理部１５３の詳細な構成を示すブロック図である。
【図１１】グラフィック・プロセッサ１５１の詳細な構成を示すブロック図である。
【図１２】実施形態におけるＰＤＬ画像出力の手順を示すフローチャートである。
【図１３】実施形態におけるコピー画像出力の手順を示すフローチャートである。
【符号の説明】
３１  プリント画像処理部
３２  オリジナル原稿情報生成部
３３  情報付加部
３４  情報消去部
１１０  コントローラ部
２００  リーダー部
２１０  スキャナユニット
２８０  付加情報判定・解読部
３００  プリンタ部
４０１，４０２  ホストコンピュータ
４１０  画像サーバー
【図１】
2004153568.tif 000003
【図２】
2004153568.tif 000004
【図３】
2004153568.tif 000005
【図４】
2004153568.tif 000006
【図５】
2004153568.tif 000007
【図６】
2004153568.tif 000008
【図７】
2004153568.tif 000009
【図８】
2004153568.tif 000010
【図９】
2004153568.tif 000011
【図１０】
2004153568.tif 000012
【図１１】
2004153568.tif 000013
【図１２】
2004153568.tif 000014
【図１３】
2004153568.tif 000015